(57)【特許請求の範囲】
【請求項１】
筐体と、該筐体に開閉自在に取り付けられ操作表示パネルの位置にパネル表示窓を開口した扉とを備え、該操作表示パネルは操作表示部位の一部を覆う小扉を開閉自在に備えた防災監視制御盤において、
前記操作表示パネルを前記筐体側に設け、
前記操作表示パネルの小扉取付部と前記小扉のパネル取付部のいずれか一方に回動手段と係止手段を一体に形成すると共に他方に対応した回動手段と係止手段を一体に形成し、
前記小扉の開時の前記操作表示パネルに対する固定角度を前記小扉が開いた状態でも前記扉を開閉できる角度に設定するとともに、前記小扉の幅を前記小扉が開いた状態でも前記扉を開閉できる寸法に設定し、
さらに、前記小扉は弾性のあるモールド樹脂部材でなり、前記操作表示パネルに着脱自在に取り付けられたことを特徴とする防災監視制御盤。
【発明の詳細な説明】
【０００１】
【発明の属する技術分野】
本発明は、防災監視制御盤に関し、特に操作表示パネルに設けた各メンテナンススイッチを覆う小扉を開閉自在に取り付けた防災監視制御盤に関する。
【０００２】
【従来の技術】
従来の防災監視制御盤としては、例えば図９に示すようなものが知られている（実開平５−４０９９４号、参照）。
図９において、１は金属板からなる箱状の筐体、２は筐体１に開閉可能に取り付けられた金属板からなる扉で、中央部よりやや上方に窓孔が設けられている。そして扉２の窓孔には操作板３、表示板４および増設用表示板５等の操作表示パネルが所定の位置に配設され、表示板４および操作板３の背面にはプリント基板６，７がねじで固定される。また、筐体１の背板にはプリント基板８が固定され、プリント基板８には端子台９が搭載されている。１０はプリント基板８の保護板である。また、筐体１の背板にはトランス１１が取り付けられ、筐体１内には予備電源１２が収納されている。
【０００３】
なお、操作部３には各種設定用スイッチと、保守点検時に使用されるメンテナンス用スイッチ表示部を備え、メンテナンス用スイッチ表示部の箇所には通常監視時に誤って操作されないためにスイッチ等を覆う開閉自在な小扉が取り付けられている。
図１０は操作板３に対する小扉の取り付けの説明図であり、操作板３を正面から見た図である。
【０００４】
図１０において、操作板３には凹字状に形成された取付部材１３とＬ字状に形成された取付部材１４が取付孔４Ａ，４Ｂ，４Ｃにそれぞれ挿入され、溶接により固定されている。取付部１３，１４にはねじ１５Ａ，１５Ｂが挿入されるねじ孔１３Ａ，１４Ａがそれぞれ形成されている。
取付部１３の突出片１３Ｂはストッパ部材としての機能を有し、小扉１６を開けたとき突出片１３Ｂの下面に小扉１６の下板１６Ａが当接し、小扉１６が下に垂れ下がらないようにしている。取付部１３，１４に対して小扉１６にはＬ字状に形成された取付部１６Ｂ，１６Ｃがそれぞれ溶接により固定されている。
【０００５】
取付部１６Ｂ，１６Ｃにはねじ孔１６Ｄ，１６Ｅがそれぞれ形成され、操作板３の取付部１３，１４のねじ孔１３Ａ，１４Ａ、ねじ孔１６Ｄ，１６Ｅはねじ１５Ａ，１５Ｂをねじ込むことで、操作板３に対して小扉１６が開閉自在に装着される。また、表示板４の上側中央には小扉１６を閉じるときに係止される係止部１７が設けられ、一方、係止部１７に係止される突起部１８が小扉１６の裏面の上部中央に設けられている。
【０００６】
【発明が解決しようとする課題】
しかしながら、このような従来の防災監視制御盤にあっては、パネルに小扉を取り付けるための部品として２本のねじ、２つの取付部が必要であり、対応して小扉に２つの取付部を必要とし、また、小扉を閉めるときパネルに固定される係止部、小扉は固定される突起部が必要となり、部品点数が多くなる。また、小扉には２つの取付部が溶接されるため、製造工数が多くなり、組立ても手間がかかっていた。
【０００７】
また、従来の表示板等の各パネルは筐体の扉側に取り付けてあり、その筐体においてメンテナンスを行うとき、小扉を開きながら各種メンテナンススイッチを操作するが、メンテナンスによっては筐体の扉を開いて筐体内部を操作、点検することがあり、このとき筐体内部をみるために扉を開いたり、メンテナンススイッチを操作するために扉を閉めたりしなければならず、メンテナンス作業が煩雑であった。
【０００８】
さらに、小扉に強い加重が加わると、取付部が変形し、破損してしまうことがあった。
本発明は、このような従来の問題点に鑑みてなされたものであって、部品点数を減少し製造工数も減少し容易に組立てができ、メンテナンス時の作業の煩雑さを解消し、さらに小扉の破損を防止することができる防災監視制御盤を提供することを目的とする。
【０００９】
【課題を解決するための手段】
この目的を達成するために、本発明は、次のように構成する。
まず、本発明は、筐体と、該筐体に開閉自在に取り付けられ操作表示パネルの位置にパネル表示窓を開口した扉とを備え、該操作表示パネルは操作表示部位の一部を覆う小扉を開閉自在に備えた防災監視制御盤を対象とする。
【００１０】
このような防災監視制御盤について本発明は、操作表示パネルを筐体側に設け、操作表示パネルの小扉取付部と小扉のパネル取付部のいずれか一方に回動手段と係止手段を一体に形成すると共に他方に対応した回動手段と係止手段を一体に形成し、小扉の開時の操作表示パネルに対する固定角度を小扉が開いた状態でも扉を開閉できる角度に設定するとともに、小扉の幅を小扉が開いた状態でも扉を開閉できる寸法に設定したことを特徴とする。
【００１１】
また、本発明は、小扉が開いたときに操作表示パネルの下面に当接するストッパ部材を小扉に一体に成形した。
このように、操作表示パネルを筐体に設け、操作表示パネルの下側両端に回動手段と係止手段が形成された取付部を一体に成形し、小扉には操作表示パネルの回動手段、係止手段に対応した小扉側の回動手段、係止手段を一体に成形したので、小扉を操作表示パネルに取り付けるための部品が必要でなく、部品点数を減少させ、製造工数を減少させ、さらに、組立て、取り外しも容易になる。また、扉を開けたままでメンテナンスを行うことができ、メンテナンス時の作業の煩雑さがなくなる。
【００１２】
さらに、小扉を弾性のあるモールド樹脂部材で成形し操作表示パネルの取付部に装着したので、小扉に強い加重が加わっても小扉が歪んで外れ、従来例のように小扉に加重が加わると取付部が変形して破損することがない。
また、小扉の開時の操作表示パネルに対する取付角度を小扉が開いた状態でも扉を開閉できる角度に設定するとともに、小扉の幅を小扉が開いた状態でも扉を開閉できる寸法に設定したので、メンテナンス時に小扉の開閉に関係なく扉を開閉することができる。
【００１３】
【発明の実施の形態】
図１は本発明の防災監視制御盤の分解斜視図である。
図１において、２１は背板、２２は本体フレーム、２３は扉であり、防災監視制御盤２４はこれらの背板２１、本体フレーム２２からなる筐体および扉２３により構成される。
【００１４】
背板２１は金属板よりなり、本体フレーム２２に形成された背板接合部２５にねじ止め固定される。背板２１には端子台２６などが搭載された回路基板２７，２８，２９、トランス３０、回路基板３１を裏面に装着した操作表示パネル３２等が固定される。背板２１には複数個の支持台３３が設けられ、支持台３３は回路基板２７，２８，２９を支持する。３６は背板２１に設けられた固定金具であり、固定金具３６により操作表示パネル３２の一端部が背板２１に固定される。
【００１５】
また、背板２１の上部中央には長孔３７が形成され、長孔３７から信号線が引き出されて回路基板２７，２８，２９等に接続される。また、長孔３７の左右両側の背板２１には壁面に防災監視制御盤２４を取り付けるための取付孔３８が形成されている。
図２に示すように、操作表示パネル３２の上部には火災代表灯用などの表示窓３９が形成され、表示窓３９の下側には火災などが発生した地区を表示する地区表示窓４０が形成されている。
【００１６】
地区表示窓４０の左下側には音響孔４２が形成され、音響孔４２の右側には各種の設定状況や監視状況を表示する表示灯４３や各種設定スイッチ４５などが設けられている。操作表示パネル３２の下部にはメンテナンス用の各種スイッチ４６が設けられ、各メンテナンス用スイッチ４６の上側にはスイッチ操作を表示する表示灯４７が設けられている。これらのスイッチ４６および各表示灯４７が設けられた操作表示パネル３２の下側部分には取付部４８を介して小扉４９が開閉自在に設けられる。操作表示パネル３２には背板２１に取り付けられる取付部５０が一体に形成されており、取付部５０により操作表示パネル３２が背板２１に固定される。
【００１７】
扉２３は金属板よりなり、扉２３を閉じたときに操作表示パネル３２が表われるパネル表示窓５１を有し、また、扉閉止部５２が挿入される挿入孔５３を有する。また、扉２３の上面端部には本体フレーム２２に扉２３を固定するためのリベット５４が挿入される固定用の孔５５が形成されている。
本体フレーム２２は金属板よりなる上壁５６、下壁５７および側壁５８，５９により構成され、上壁５６、下壁５７および側壁５８，５９には背板２１と接合される背板接合部２５が形成されている。
【００１８】
上壁５６および下壁５７には前面に一部分が突出する扉固定用ステー６１が固定され、扉固定用ステー６１の突出部６１Ａにはリベット５４が挿入される固定用の孔６２がそれぞれ形成され、固定用の孔６２，５５にリベット５４を挿入することで、本体フレーム２２に扉２３が取り付けられる。また、扉固定用ステー６１と扉２３の間には扉の回動を容易にするためのスペーサ６３が挿入される。
【００１９】
次に、図３は操作表示パネル３２および小扉４９を取り出して示した図である。
図３において、操作表示パネル３２の下側両端には一対の取付部４８がモールド樹脂により一体に成形されている。取付部４８の上端には角孔よりなる係止手段としての係止孔７０がそれぞれ形成され、下端には丸孔よりなる回動手段としての軸孔７１がそれぞれ形成されている。操作表示パネル３２の取付部４８には係止孔７０、軸孔７１で小扉４９が開閉自在にかつ着脱自在に取り付けられる。操作表示パネル３２の下側に設けられたメンテナンス用の各種スイッチ４６および各種スイッチの操作を表示する表示灯４７は小扉４９の開状態で表われ、小扉４９の閉状態でかくれるようになっている。小扉４９は弾性のあるモールド樹脂部材で成形されいる。小扉４９には小扉４９を開けるための溝を形成した上板７３と長手方向の両端部には取付部４８の係止孔７０に係止される係止手段としての係止突起７４を有する係止片７５と取付部４８の軸孔７１に回転自在に挿入される回動手段としての軸部７６を有する軸支持部７７などが一体に成形されている。
【００２０】
小扉４９の操作表示パネル３２の取付部４８への取付けは、小扉４９を少したわませた状態にして、軸部７６を取付部４８の軸孔７１に挿入することで行う。更に、挿入後小扉４９を上方向に回動して係止突起７４を係止孔７０に係止させることで小扉４９は閉じられる。
次に、図４（Ａ）は小扉４９の裏面図、図４（Ｂ）は小扉４９の側面図である。
【００２１】
図４（Ａ），（Ｂ）において、扉本体７２の両端には切欠き７８がそれぞれ形成され、切欠き７８は小扉４９を閉じたとき操作表示パネル３２の取付部４８の下面と当接する。切欠き７８に連続して扉２３のパネル表示窓の角の曲面にあわせたアール部７９が形成される。そして切欠き７８近傍には小扉４９を回動自在にする外側に突起する軸部７６を備えた軸支持部７７が一体に成形される。軸支持部７７の反対側には長方形状の係止片７５が立設され、係止片７５には軸方向外側に突出する係止突起７４が一体に成形される。小扉４９の上側には一端部から他端部に亘って上板７３が一体に成形され、上板７３の途中には複数の溝８０が形成されている。また、小扉４９の下側には開状態で所定の高さに小扉４９を固定するためのストッパ部材としての下板８１が形成されている。
【００２２】
次に、図５は操作表示パネル３２に小扉４３を取り付けて開いた状態を示す図である。
図５において、操作表示パネル３２に一体に成形された取付部４８の軸孔７１には小扉４９の軸部７６が回転自在に挿入される。こうして小扉４９は操作表示パネル３２に開閉自在にかつ着脱自在に取り付けられる。小扉４９が開いた状態においては、小扉４９の下板８１の端面が操作表示パネル３２の下面に当接しており、下板８１はストッパ部材としての機能を果す。下板８１の高さを調整することにより、操作表示パネル３２に対する小扉４９の開時の固定角度を規制することができる。
【００２３】
ここでは小扉４９を開いたときでも扉２３を開閉することができるように小扉４９の開時の固定角度を操作表示パネル３２に対して略垂直となるように設定している。なお、小扉４９を閉じるときは、小扉４９を操作表示パネル３２側に回動して小扉４９の係止突起７４を取付部４８の係止孔７０に係止させれば良い。次に、図６は小扉４９を開いた状態で扉２３を開閉する状態を示す図である。
【００２４】
図６において、本体フレーム２２の後部には背板２１がねじ止め固定されており、背板２１には操作表示パネル３２が固定されている。操作表示パネル３２には取付部４８を介して小扉４９が開閉自在に取り付けられる。本体フレーム２２には扉固定用ステー６１が設けられ、扉固定用ステー６１と扉２３に孔６２，５５を形成し、孔６２，５５にリベット５４を通してリベット５４により本体フレーム２２に対して扉２３を開閉自在に装着している。
【００２５】
Ａは扉２３が開閉される支点となるリベット５４から扉２３に形成したパネル表示窓５１の一端部までの距離を示し、Ｂは扉２３を開いたときのパネル表示窓５１の一端部の移動の跡を示す。
また、Ｃは扉２３を開いたときのパネル表示窓５１の他端部の移動の跡を示す。Ｄは小扉４９の軸部７６から小扉４９の端面に沿って伸ばした引出し線であり、この引出し線Ｄとパネル表示窓５１の一端部の移動の跡を示す線Ｂが交差する点Ｅと軸部７６との距離Ｌ１より短い距離Ｌ２となるように、小扉４９の寸法  （高さ）を設定する。これにより、小扉４９が開いたときでも扉２３を開閉することができる。また、小扉４９が開いたときの操作表示パネル３２に対する固定角度は、図４でも説明したように、操作表示パネル３２に対して略垂直となる角度に設定する。こうして、小扉４９を開いた状態でも扉２３を開閉することができる。
【００２６】
次に、図７，図８は図１の防災監視制御盤を組立てた完成斜視図を示し、図７は小扉４９を開いた状態を示し、図８は小扉４９を閉じた状態を示す。
図７に示すように、操作表示パネル３２に一体に形成した取付部４８の軸孔７１に小扉４９の軸部７６を挿入することにより、小扉４９は操作表示パネル３２に対して開閉自在に、また着脱自在に取り付けられる。操作表示パネル３２に対する小扉４９の組立て、取り外しが容易である。小扉４９の下板８１は操作表示パネル３２の下面に当接し、ストッパ部材としての機能を持つので、図示のように、小扉４９は操作表示パネル３２に対して略垂直に保持される。
【００２７】
このような小扉４９の開状態で小扉４９に上方向から強い加重が加わった場合には、小扉４９は弾性のあるモールド樹脂部材で形成されているため歪み、軸部７６は取付部４８の軸孔７１から外れ、結果小扉４９は取付部４８から外れる。小扉４９を閉じるときは、小扉４９を操作表示パネル３２側に回動すると、小扉４９の係止突起７４が取付部４９の係止孔７０に係止され、図８に示すように小扉４９が閉じる。
【００２８】
なお、本実施例においては、操作表示パネル３２に係止孔７０、小扉４９に係止突起７４を設けたが、この構成は逆でもよい。つまり操作表示パネル３２に係止突起、小扉に係止孔を設けた構成でもよい。回動手段としての軸孔、軸部も同様に逆の構成でもよい。
【００２９】
【発明の効果】
以上のように、操作表示パネルを筐体に取り付け、小扉を取り付ける取付部を操作表示パネルに一体に成形し、小扉には操作表示パネルに取り付けるための係止手段および回動手段を一体に成形したため、小扉を操作表示パネルに取り付けるための部品が必要でなく、部品点数を減少することができ、また、従来例のように、取付部を溶接して固定する製造工数も減り、また、組立て、取り外しも容易になる。また、扉を開けたままでメンテナンスを行うことができ、メンテナンス時の作業の煩雑さを解消することができる。
【００３０】
さらに、小扉を弾性のあるモールド樹脂部材で成形したため、小扉に強い加重が加わっても小扉が歪んで容易に外れるため、従来例のように小扉に加重が加わると取付部が変形して破損してしまうことがない。なお、小扉を開いた状態でも扉の開閉ができるため、小扉を壊すことがない。
また、操作表示パネルが筐体に取り付けてあり、小扉を開いた状態でも扉の開閉ができるため、メンテナンス終了後、小扉を開けたままで扉を閉めても扉が小扉にあたることなく閉めることができ、小扉が外れることがない。
【図面の簡単な説明】
【図１】本発明の防災監視制御盤の分解斜視図
【図２】操作パネルの斜視図
【図３】操作表示パネルと小扉を示す図
【図４】小扉を示す図
【図５】操作表示パネルに対する小扉の取付けを示す図
【図６】小扉の開時の扉の開閉状態を示す図
【図７】小扉の開時の防災監視制御盤の正面を示す図
【図８】小扉の閉時の防災監視制御盤の正面を示す図
【図９】従来の例を示す図
【図１０】従来例の要部を示す図
【符号の説明】
２１：背板
２２：本体フレーム
２３：扉
２４：防災監視制御盤
３２：操作表示パネル
４８：取付部
４９：小扉
７０：係止孔
７１：軸孔
７３：上板
７４：係止突起
７５：係止片
７６：軸部
７７：軸支持部
８１：下板
【図１】
0003634464.tif 000002
【図２】
0003634464.tif 000003
【図３】
0003634464.tif 000004
【図４】
0003634464.tif 000005
【図５】
0003634464.tif 000006
【図６】
0003634464.tif 000007
【図７】
0003634464.tif 000008
【図８】
0003634464.tif 000009
【図９】
0003634464.tif 000010
【図１０】
0003634464.tif 000011